(57)【要約】【課題】本発明は、キートップを確実に水平状態で昇降させることができる操作性の良いキーボードスイッチを提供すること。【解決手段】キートップ２の裏面には、スライド自在に支持されたスライダ６が配設され、第１、第２リンク部材３、４の上方支持部３ｇ、４ｈは、いずれか一方がスライダ６にスライド自在に支持されると共に、いずれか他方がスライダ６に回動自在に支持され、第１、第２リンク部材３、４の他端部側に形成したそれぞれの下方支持部３ｊ、３ｋ、４ｊ、４ｋがベースプレート９にそれぞれ回動自在に支持され、第１リンク部材３または／および第２リンク部材４とスライダ６とには、スライダ６をベースプレート９と平行な水平状態でスライドさせながらベースプレート９側に降下させることができるカム機構が形成されている。【選択図】        図１
2004288414.tif 000002
【特許請求の範囲】
【請求項１】
キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、前記キートップと前記ベースプレートとの間に配設されて一端部側に形成した上方支持部を互いに近接対向させて側面視ハ字状に配設された第１、第２リンク部材と、前記第１リンク部材または／および第２リンク部材の中点に、一端部に形成した第１支持部が回動自在に支持されると共に他端部に形成した第２支持部が前記キートップに回動自在に支持される第３リンク部材とからなり、前記キートップの裏面には、スライド自在に支持されたスライダが配設され、前記第１、第２リンク部材の前記上方支持部は、いずれか一方が前記スライダにスライド自在に支持されると共に、いずれか他方が前記スライダに回動自在に支持され、前記第１、第２リンク部材の他端部側に形成したそれぞれの下方支持部が前記ベースプレートにそれぞれ回動自在に支持され、
前記第１リンク部材または／および前記第２リンク部材と前記スライダとには、前記スライダを前記ベースプレートと平行な水平状態でスライドさせながら前記ベースプレート側に降下させることができるカム機構が形成されていることを特徴とするキーボードスイッチ。
【請求項２】
前記カム機構は、前記第１リンク部材または／および第２リンク部材の側面に形成したカム溝と、このカム溝に嵌合して摺動可能な凸部とからなることを特徴とする請求項１記載のキーボードスイッチ。
【請求項３】
前記スライダには、少なくとも前記第１リンク部材の前記上方支持部がスライド自在に支持されると共に前記第２リンク部材の前記上方支持部が回動自在に支持されていることを特徴とする請求項１または２記載のキーボードスイッチ。
【請求項４】
前記第３リンク部材の長さ寸法は、前記第１または第２リンク部材の１／２に形成されていることを特徴とする請求項１乃至４のいずれかに記載のキーボードスイッチ。
【発明の詳細な説明】
【０００１】
【発明の属する技術分野】
本発明はキーボードスイッチに係わり、特にキートップを複数のリンク部材で支持したキーボードスイッチに関する。
【０００２】
【従来の技術】
従来のキーボードスイッチを図１７に基づいて説明すると、従来のキーボードスイッチ２１は、上部にキートップ２２が配設され、このキートップ２２裏面には、一対の軸受け部２２ａが形成され、この軸受け部２２ａには、２個の軸受孔２２ｂが接近して形成されている。
また、キートップ２２の下部には、互いに同形状に形成されて側面視ハ字状に組み合わされた一対のリンク部材２３、２３が配設されている。前記リンク部材２３には、下方側に円柱状の摺動軸２３ａと、この摺動軸２３ａの両端部寄りから互いに対向して中間腕２３ｂを有して略コ字状に形成され、中間腕２３ｂの上端部にギア２３ｃが形成されている。
【０００３】
そして、一対のリンク部材２３、２３は、ギア２３ｃ、２３ｃを互いに噛み合わされて、中間腕２３ｂが側面視ハ字状になっている。
また、リンク部材２３の摺動軸２３ａの両端部からは、上面側がカットされて断面が半円状の一端２３ｄと、下面側がカットされて断面が半円状の他端２３ｅとが突出形成され、ギア２３ｃ近傍の中間腕２３ｂから外方に突出して回転軸２３ｆが形成され、この回転軸２３ｆがキートップ２２の軸受孔２２ｂに回転自在に嵌合可能になっている。
【０００４】
また、一対のリンク部材２３、２３を挟んでキートップ２２と対向する下方側には、一対のリンク部材２３の摺動軸２３ａを摺動自在に支持可能な支持部材２４が配設されている。
この支持部材２４は、リンク部材２３の摺動軸２３ａが嵌入可能な切り欠き部２４ａと、この切り欠き部２４ａの上方に突出するガイド爪２４ｂとを有し、このガイド爪２４ｂには、摺動軸２３ａから外側に突出する一端２３ｄと他端２３ｅとを摺動自在に保持可能になっている。
また、ガイド爪２４ｂは、先端に摺動軸２３ａの脱落を防止可能なストッパ２４ｃが形成されている。
【０００５】
また、支持部材２４の下部には、メンブレンスイッチ２５が配設され、このメンブレンスイッチ２５にスイッチ回路（図示せず）が形成されている。
また、メンブレンスイッチ２５は、ベースプレート２６に載置されている。そして、キートップ２２とメンブレンスイッチ２５との間には、キートップ２２を上方に弾性付勢するラバースプリング（図示せず）が配設されて、キートップ２２を押圧操作すると、ラバースプリングを介してメンブレンスイッチ２５のスイッチ回路が切り換わるようになっている。
【０００６】
このような従来のキーボードスイッチ２１は、キートップ２２を押圧操作するときに、押圧位置が中央部でなく端部であったとしても、一対のリンク部材２３、２３の回転軸２３ｆ、２３ｆが、キートップ２２の軸受孔２２ｂに回転自在に嵌合していると共に、互いのギア２３ｃ、２３ｃが噛み合っているので、キートップ２２は、水平状態で昇降するようになっている。
【０００７】
【特許文献１】
特開平１１−２８８６３８号公報
【０００８】
【発明が解決しようとする課題】
しかし、従来のキーボードスイッチ２１は、キートップ２２の端部を押圧した場合に、キートップ２２を水平状態で昇降自在に支持している一対のリンク部材２３、２３は、互いに噛み合っているギア２３ｃ、２３ｃ部分に大きな負荷が加わる。そのために、繰り返しの押圧操作でギア２３ｃ、２３ｃの噛み合い部分が摩耗して、遊び（バックラッシュ）が発生し、キートップ２２を水平状態で昇降操作できなくなるおそれがある。
本発明のキーボードスイッチは、前述したような問題点に鑑みてなされたもので、キートップを確実に水平状態で昇降させることができ操作性の良いキーボードスイッチを提供することを目的とするものである。
【０００９】
【課題を解決するための手段】
前記課題を解決するための第１の手段として本発明のキーボードスイッチは、キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、前記キートップと前記ベースプレートとの間に配設されて一端部側に形成した上方支持部を互いに近接対向させて側面視ハ字状に配設された第１、第２リンク部材と、前記第１リンク部材または／および第２リンク部材の中点に、一端部に形成した第１支持部が回動自在に支持されると共に他端部に形成した第２支持部が前記キートップに回動自在に支持される第３リンク部材とからなり、前記キートップの裏面には、スライド自在に支持されたスライダが配設され、前記第１、第２リンク部材の前記上方支持部は、いずれか一方が前記スライダにスライド自在に支持されると共に、いずれか他方が前記スライダに回動自在に支持され、前記第１、第２リンク部材の他端部側に形成したそれぞれの下方支持部が前記ベースプレートにそれぞれ回動自在に支持され、
前記第１リンク部材または／および前記第２リンク部材と前記スライダとには、前記スライダを前記ベースプレートと平行な水平状態でスライドさせながら前記ベースプレート側に降下させることができるカム機構が形成されていることを特徴とする。
【００１０】
また、前記課題を解決するための第２の手段として、前記カム機構は、前記第１リンク部材または／および第２リンク部材の側面に形成したカム溝と、このカム溝に嵌合して摺動可能な凸部とからなることを特徴とする。
【００１１】
また、前記課題を解決するための第３の手段として、前記スライダには、少なくとも前記第１リンク部材の前記上方支持部がスライド自在に支持されると共に前記第２リンク部材の前記上方支持部が回動自在に支持されていることを特徴とする。
【００１２】
また、前記課題を解決するための第４の手段として、前記第３リンク部材の長さ寸法は、前記第１または第２リンク部材の１／２に形成されていることを特徴とする。
【００１３】
【発明の実施の形態】
本発明は、パーソナルコンピュータ等の入出力機器に使用されるキーボード装置あるいは入力スイッチ装置に用いて好適なキーボードスイッチに関し、本発明の１実施の形態のキーボードスイッチを図１〜図１６に基づいて説明する。
図１は本発明に関するキーボードスイッチの斜視図であり、図２は図１の平面図であり、図３は図１の左側面図であり、図４は図１の右側面図であり、図５は本発明に係わるキートップの下面図であり、図６は図５の６−６断面図であり、図７は図５の７−７断面図であり、図８〜図１０は本発明に係わる第１、第２リンク部材を説明する図面であり、図１１、図１２は本発明に係わる第３リンク部材を説明する図面であり、図１３、図１４は本発明に係わるスライダを説明する図面であり、図１５、図１６は本発明に係わるベースプレートを説明する図面である。
【００１４】
まず、本発明のキーボードスイッチ１は、図１〜図４に示すように、最上部に２点鎖線で示すようなキートップ２が配設されている。このキートップ２は、樹脂材料等からなり、図５〜図７に示すように、外形が略矩形状に形成され、上面に操作面２ａを有する上壁２ｂが形成され、この上壁２ｂの周囲に裾野状の周壁２ｃが形成されている。
また、上壁２ｂの裏面２ｄには、図５に示すように、図示上下に互いに対向して一対のスライダ支持部２ｅ、２ｅが横長状に立設され、このスライダ支持部２ｅ、２ｅは、図６に示すように、互いに対向する側に突出して凸部２ｆが形成れて、後述するスライダ６、６をキートップ２の裏面２ｄに沿ってスライド自在に支持可能になっている。
【００１５】
また、キートップ２の裏面２ｄ側で、図７に示すように、一対のスライダ支持部２ｅ、２ｅ近傍には、一対の回動支持部２ｇ、２ｇが立設されている。この回動支持部２ｇ、２ｇは、後述する第３５の他端部側に形成した第２支持部５ｃを回動自在にスナップ係支可能なスリ割り状に形成されている。
【００１６】
また、第１リンク部材３を、図８〜図１０の基づいて説明すると、第１リンク部材３は、樹脂材料等からなり、図９に示すように、上部側に略半円状の切り欠き部３ａを有する本体部３ｂが形成され定ると共に、この本体部３ｂの図示左側に一方の側面３ｃが形成され、この一方の側面３ｃと反対側の右側に他方の側面３ｄが形成され、この他方の側面３ｄは段差状に形成されている。
また、本体部３ｂは図示上部側の一端部３ｅと下部側の他端部３ｆとが互いに平行に形成され、一端部３ｅ側の一方と他方の側面３ｃ、３ｄからは、円形状の一方と他方の上方支持部３ｇ、３ｈがそれぞれ突出形成され、他端部３ｆ側の一方と他方の側面３ｃ、３ｄからは、上方支持部３ｇ、３ｈより若干短い円形状の下方支持部３ｊ、３ｋが、上方支持部３ｇ、３ｈと同方向に突出形成されている。
【００１７】
また、一方の上方支持部３ｇ近傍の一方の側面３ｃには、カム機構の一部であるカム溝３ｍが、所定の幅寸法と深さ寸法で湾曲形成され、他方の側面３ｄには、略菱形状で後述する第３リンク部材５を回動支持可能な突起３ｎが突出形成されている。この突起３ｎは、図１０に示すように、上方支持部３ｈから下方支持部３ｋまでの中点に形成されている。即ち、上方支持部３ｈから下方支持部３ｋまでの寸法Ａの１／２の位置に突起３ｎが形成されている。
【００１８】
また、第２リンク部材４は、第１リンク部材３と同じ形状と材質なので、第１リンク部材３と同じ図８〜図１０を用いて、第２リンク部材４の部番を括弧内に記載して説明する。
まず、第２リンク部材４は、半円状の切り欠き部４ａを有する本体部４ｂが形成され、この本体部４ｂには一方と他方の側面４ｃ、４ｄが形成され、この一方と他方の側面４ｃ、４ｄからは、一端部４ｅ側に、一方と他方の上方支持部４ｇ、４ｈがそれぞれ突出形成され、他端部４ｆ側に一方と他方の下方支持部４ｊ、４ｋがそれぞれ突出形成されている。
また、一方の側面４ｃには、カム溝４ｍが形成され、他方の側面４ｄには、突起４ｎが突出形成されている。
【００１９】
また、第１、第２リンク部材３、４の突起３ｎ、４ｎに回動自在に支持される第３リンク部材５は、樹脂材料からなり、図１１、図１２に示すように、横長状の本体部５ａを有し、この本体部５ａの図示左側の一端部側に第１支持部５ｂが形成されている。この第１支持部５ｂは、図示下方側が開放されて略馬蹄形状に貫通形成されている。
また、本体部５ａの図示右側の他端部側には、キートップ２の回動支持部２ｇに回動自在に支持可能な第２支持部５ｃが、略菱形状で突出形成されている。
【００２０】
また、キートップ２のスライダ支持部２ｅ、２ｅには、樹脂材料からなる一対のスライダ６がスライド自在に支持されるようになっている。前記スライダ６は、図１３、図１４に示すように、横長状の本体部６ａを有し、この本体部６ａには、長孔状のスライド溝６ｂが貫通形成されると共に、スライド溝６ｂの図示右側に支持孔６ｃが貫通形成されている。
また、本体部６ａには、スライド溝６ｂの図示左側近傍に、第１、第２リンク部材３、４に形成したカム溝３ｍ、４ｍに嵌合して摺動可能な凸部６ｄが形成されている。前記凸部６ｄとカム溝３ｍ、４ｍとによって、本発明に係わるカム機構が構成されている。
このようなスライダ６は、キートップ２のスライダ支持部２ｅ、２ｅに、それぞれスライダ６、６がスライド自在に支持されている。
【００２１】
そして、スライダ６は、図１に示すように、左側に位置する一方のスライダ６のスライド溝６ｂに第１リンク部材３の一方の上方支持部３ｇが嵌合してスライド自在に支持されると共に、支持孔６ｃに第２リンク部材４の他方の上方支持部４ｈが回動自在に支持されるようになっている。
また、図示右側に位置する他方のスライダ６のスライド溝６ｂに第２リンク部材４の一方の上方支持部４ｇが嵌合してスライド自在に支持されると共に、支持孔６ｃに第１リンク部材３の他方の上方支持部３ｈが回動自在に支持されるようになっている。
【００２２】
また、それぞれの上方支持部が支持されて、側面視ハ字状に配設された第１、第２リンク部材３、４の互いに対向する略半円状の切り欠き部３ａ、４ａ間には、内部がドーム状の空洞部（図示せず）が形成された弾性部材であるラバースプリング７が配設され、このラバースプリング７が後述するフィルムシート８に接着剤等で接着されて固着されている。
前記ラバースプリング７の空洞部内の天井部には、可動接点部（図示せず）が形成されて、後述するフィルムシート８の固定接点部に導通することによりスイッチ回路を切り換え可能になっている。
【００２３】
前記フィルムシート８は、例えば表面にラバースプリング７の可動接点部（図示せず）が接触して導通可能な、所定の隙間を有して互いに絶縁された一対の固定接点部（図示せず）が形成されている。
即ち、本発明のキーボードスイッチ１は、可動接点部と固定接点部とからなるスイッチ回路が形成され、キートップ２の押圧操作により可動接点が固定接点に導通してスイッチ回路が切り換わるようになっている。
また、第１、第２リンク部材３、４のあるそれぞれの下方支持部３ｊ、４ｊ、３ｋ、４ｋは、フィルムシート８を介して金属板等からなるベースプレート９に支持されている。
【００２４】
また、ベースプレート９は、図１５、図１６に示すように、上下に対向させて一対の第１支持部９ａ、９ａが図示右側に切り起こし形成され、図示左側に上下に対向させて一対の第２支持部９ｂ、９ｂが切り起こし形成されている。
そして、それぞれの第１支持部９ａ、９ａ間、および第２支持部９ｂ、９ｂ間には、円弧状で上方に突き出し形成された突出部９ｃ、９ｄが形成されている。
前記第１支持部９ａ、９ａには、第１リンク部材３のそれぞれの下方支持部３ｊ、３ｋを挿入して支持すると、他端部３ｆが突出部９ｃに押圧されて、第１リンク部材３が抜け止めされて、ベースプレート９に回動自在に支持されるようになっている。
また、第２支持部９ｂ、９ｂには、第２リンク部材４のそれぞれの下方支持部４ｊ、４ｋを挿入して支持すると、他端部４ｆが突出部９ｄに押圧されて、第２リンク部材４が抜け止めされてベースプレート９に回動自在に支持可能になっている。
【００２５】
前述したような本発明のキーボードスイッチ１の組立は、まず、弾性部材であるラバースプリング７が事前に接着剤等で固着されたフィルムシート８を、ベースプレート９上に載置すると、ベースプレート９に形成した第１、第２支持部９ａ、９ｂおよび突出部９ｃ、９ｄがフィルムシート８上に突出する。
次に、第１リンク部材３の一方と他方の下方支持部３ｊ、３ｋを第１支持部９ａ、９ａに挿入して回動支持すると共に、第２リンク部材４の一方と他方の下方支持部４ｊ、４ｋを第２支持部９ｂ、９ｂに挿入して回動支持する。
そして、第１リンク部材３の突起３ｎと第２リンク部材４の突起４ｎとに、それぞれ第３リンク部材５の第１支持部５ｂを嵌合させて支持する。
【００２６】
次に、図１に示す左側に位置する一方のスライダ６のスライド溝６ｂを第１リンク部材３の一方の上方支持部３ｇに嵌合させると共に、一方のスライダ６の支持孔６ｃに第２リンク部材４の他方の上方支持部４ｈを嵌合させる。
また、図１に示す右側に位置する他方のスライダ６の支持孔６ｃを第１リンク部材３の他方の上方支持部３ｈに嵌合させると共に、他方のスライダ６のスライド溝６ｂに第２リンク部材４の一方の上方支持部４ｇを嵌合させる。
そして、第１、第２、第３リンク部材３、４、５は、それぞれがベースプレート９上のフィルムシート８に密着した状態の水平状態に傾倒する。
【００２７】
この状態の第３リンク部材５の第２支持部５ｃ上にキートップ２の回動支持部２ｇを位置合わせすると共に、一方と他方のスライダ６、６の上から、キートップ２のスライダ支持部２ｅ、２ｅを位置合わせして、キートップ２を下方に押圧する。すると、回動支持部２ｇが第３リンク部材５の第２支持部に嵌合すると共に、スライダ支持部２ｅ、２ｅに、一方と他方のスライダ６、６がスライド自在に支持される。
また、同時にラバースプリング７がキートップ２に押圧されて弾性変形し、フィルムシート７に密着した状態になる。
その後、キートップ２に加えていた押圧力を解除すると、キートップ２は、ラバースプリング７に弾性付勢されて、ベースプレート９から所定量上昇した初期状態に自動復帰して位置する。
【００２８】
このように組み立てられた本発明のキーボードスイッチ１の操作を、図１〜図４に基づいて説明すると、まず、ラバースプリング７の弾性力で初期状態にあるキートップ２を下方に押圧操作することにより、第１、第２リンク部材３、４は、互いの一端部３ｅ、４ｅが近づく方向に傾倒する。
すると、第２リンク部材４の他方の上方支持部４ｈに回動支持された、図１に示す左側の一方のスライダ６が矢印Ａ方向にスライドすると共に、一方のスライダ６のスライド溝６ｂに支持された第１リンク部材３の一方の上方支持部３ｇが矢印Ｂ方向にスライドする。
【００２９】
同時に、第１リンク部材３の他方の上方支持部３ｈに回動支持された、図１に示す右側の他方のスライダ６が矢印Ｂ方向にスライドすると共に、他方のスライダ６のスライド溝６ｂに支持された第２リンク部材３の一方の上方支持部４ｇが矢印Ａ方向にスライドする。
前記矢印Ａ方向および矢印Ｂ方向にスライドする一方と他方のスライダ６、６は、凸部６ｄとカム溝３ｍ、４ｍとからなるカム機構によって、ベースプレート９と平行な水平状態でスライドしながらベースプレート９側に降下するようになっている。
即ち、一方と他方のスライダ６、６に形成している凸部６ｄ、６ｄが、第１、第２リンク部材３、４のカム溝３ｍ、４ｍに嵌合して摺動することにより、一方と他方のスライダ６、６は、水平状態でスライドするようになっている。
【００３０】
前記それぞれのスライダ６、６が水平状態でスライドしながら降下することにより、スライダ６をスライド自在に支持するキートップ２が水平状態で降下することができる。
また、キートップ２の降下により、第１、第２、第３リンク部材３、４、５が水平状態に傾倒してフィルムシート８に密着する。
そして、降下するキートップ２にラバースプリングが押圧されて弾性変形して、ラバースプリング７の空洞部内の天井部に形成した可動接点部（図示せず）がフィルムシート８に形成している固定接点部（図示せず）に接触して導通することにより、スイッチ回路が切り換わる。
その後、キートップ２に加えていた押圧力を解除すると、ラバースプリング７の弾性力でキートップ２が上昇して初期状態に自動復帰すると共にスイッチ回路も初期状態に切り換わるようになっている。
【００３１】
なお、本発明の実施の形態では、第３リンク部材５を第１、第２リンク部材３、４の両方の突起３ｎ、４ｎにそれぞれ支持したもので説明したが、第１リンク部材３または第２リンク部材４のいずれか一方に第３リンク部材５を支持したものでもキートップ２を水平状態で降下させることができる。
即ち、第１リンク部材３または／および第２リンク部材４の中点（突起３ｎ、４ｎ）に、一端部側の第１支持部５ｂが回動自在に支持されると共に他端部側の第２支持部５ｃがキートップ２に回動自在に第３リンク部材５が支持されているものでも良い。
【００３２】
また、本発明の実施の形態では、図１に示すように、左側の一方のスライダ６と右側の他方のスライダ６との２個配設したもので説明したが、一方または他方のいずれか一方だけに配設したものでもキートップ２を水平状態で降下させることができる。
即ち、スライダ６には、少なくとも第１リンク部材３の上方支持部３ｇがスライド自在に支持されると共に第２リンク部材４の上方支持部４ｈが回動自在に支持されていれば良い。
【００３３】
【発明の効果】
以上述べたように、本発明に係わる第１リンク部材または／および第２リンク部材とスライダとには、スライダをベースプレートと平行な水平状態でスライドさせながら昇降可能なカム機構が形成されているので、スライダをスライド自在に支持するキートップを水平状態で昇降させることができる。そのために、隣り合うキーボードスイッチ間の隙間を小さくすることができる。そのために、本発明のキーボードスイッチを用いたキーボード装置を小型にできる。
また、キートップが水平状態で昇降することにより、操作性を良くすることができる。
【００３４】
また、カム機構は、第１リンク部材または／および第２リンク部材の側面に形成したカム溝と、このカム溝に嵌合して摺動可能な凸部とからなるので、カム溝に沿って凸部が摺動することにより、スライダを水平状態で昇降させることができる。
【００３５】
また、スライダには、少なくとも第１リンク部材の上方支持部がスライド自在に支持されると共に第２リンク部材の上方支持部が回動自在に支持されているので、第１リンク部材の傾倒でスライダを確実にスライドさせて、キートップを降下させることができる。
【００３６】
また、第３リンク部材の長さ寸法は、第１または第２リンク部材の１／２に形成されているので、第３リンク部材のキートップ側に支持している第２支持部を垂直降下させて、スライダをスムーズに水平状態でスライドさせることができる。
【図面の簡単な説明】
【図１】本発明に関するキーボードスイッチの斜視図である。
【図２】図１の平面図である。
【図３】図１の左側面図である。
【図４】図１の右側面図である。
【図５】本発明に係わるキートップの下面図である。
【図６】図５の６−６断面図である。
【図７】図５の７−７断面図である。
【図８】本発明に係わる第１、第２リンク部材を説明する図面である。
【図９】本発明に係わる第１、第２リンク部材を説明する図面である。
【図１０】本発明に係わる第１、第２リンク部材を説明する図面である。
【図１１】本発明に係わる第３、第４リンク部材を説明する図面である。
【図１２】本発明に係わる第３、第４リンク部材を説明する図面である。
【図１３】本発明に係わるスライダを説明する図面である。
【図１４】本発明に係わるスライダを説明する図面である。
【図１５】本発明に係わるベースプレートを説明する図面である。
【図１６】本発明に係わるベースプレートを説明する図面である。
【図１７】従来のキーボードスイッチの概略図である。
【符号の説明】
１  本発明のキーボードスイッチ
２  キートップ
２ｅ  スライダ支持部
２ｇ  回動支持部
３  第１リンク部材
３ａ  切り欠き部
３ｂ  本体部
３ｇ  一方の上方支持部
３ｈ  他方の上方支持部
３ｊ  一方の下方支持部
３ｋ  他方の下方支持部
３ｍ  カム溝
３ｎ  突起
４  第２リンク部材
５  第３リンク部材
５ａ  本体部
５ｂ  第１支持部
５ｃ  第２支持部
６  スライダ
６ａ  本体部
６ｂ  スライド溝
６ｃ  支持溝
６ｄ  凸部
７  ラバースプリング
８  フィルムシート
９  ベースプレート
９ａ  第１支持部
９ｂ  第２支持部
９ｃ  突出部
９ｄ  突出部
【図１】
2004288414.tif 000003
【図２】
2004288414.tif 000004
【図３】
2004288414.tif 000005
【図４】
2004288414.tif 000006
【図５】
2004288414.tif 000007
【図６】
2004288414.tif 000008
【図７】
2004288414.tif 000009
【図８】
2004288414.tif 000010
【図９】
2004288414.tif 000011
【図１０】
2004288414.tif 000012
【図１１】
2004288414.tif 000013
【図１２】
2004288414.tif 000014
【図１３】
2004288414.tif 000015
【図１４】
2004288414.tif 000016
【図１５】
2004288414.tif 000017
【図１６】
2004288414.tif 000018
【図１７】
2004288414.tif 000019